【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
以前にアクセスされたコンテンツのセグメントを識別するための方法であって、前記方法は、
制御回路を用いて、ユーザ機器を用いて第１のコンテンツにアクセスすることと、
前記第１のコンテンツの代わりに第２のコンテンツにアクセスするように前記ユーザ機器に命令することであって、前記第２のコンテンツは、前記第１のコンテンツ内の第１の進行点においてアクセスされる、ことと、
前記第２のコンテンツがアクセスされている間に、前記第１の進行点に続く個別のタイムスタンプと関連付けられる複数のイベントに関して、前記第１のコンテンツと関連付けられるメタデータを監視することと、
前記第１のコンテンツ内の前記複数のイベントのうちのイベントを検出することに応答して、前記第１の進行点に続く前記第１のコンテンツのセグメントのリスト内に前記イベントを識別する情報を記憶することと、
制御回路を用いて、前記ユーザ機器上に表示するために、前記第２のコンテンツおよび前記第１の進行点に続く前記第１のコンテンツの前記セグメントのリストの同時表示を生成することと、
前記制御回路において、前記第１のコンテンツのリスト内の前記セグメントのうちの第１のもののユーザ選択を受信することと、
前記第１のコンテンツ内の前記第１のイベントの開始時間および終了時間を表す、前記第１のセグメントのタイムスタンプを読み出すことと、
前記読み出されたタイムスタンプに基づいて、前記第１のコンテンツの前記選択された第１のセグメントに関連するアクションを実施することと
を含む、方法。
【請求項２】
前記第１のコンテンツのためのフィードバックを集約し、前記第１のコンテンツの興味深いセグメントを識別することと、
前記同時表示内の前記第１のコンテンツの前記識別された興味深いセグメントをハイライトすることと、
前記表示内に、前記第１のコンテンツの前記ハイライトされる識別された興味深いセグメントに関して、付加的相互作用オプションを提示することと
をさらに含む、請求項１に記載の方法。
【請求項３】
前記セグメントのリスト内の各セグメントをユーザプロファイルと比較することと、
所与のセグメントが前記ユーザプロファイルに合致することを判定することに応答して、前記リスト内の前記第１のコンテンツの所与のセグメントを視覚的に区別することと
をさらに含む、請求項１に記載の方法。
【請求項４】
制御回路を用いて、前記個別のイベントのためのメタデータに基づいて、前記個別のイベントのそれぞれのタイプを判定することと、
前記制御回路を用いて、前記イベントタイプをユーザプロファイルと比較することと、
前記リスト内に含むために、前記ユーザプロファイルに合致する個別のイベントタイプを有するイベントを選択することと
をさらに含む、請求項１に記載の方法。
【請求項５】
前記第２のコンテンツがアクセスされている間に、前記第１の進行点に続く個別のタイムスタンプと関連付けられる複数のイベントに関して、前記第１のコンテンツと関連付けられるメタデータを監視することをさらに含む、請求項１に記載の方法。
【請求項６】
前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成することをさらに含む、請求項１に記載の方法。
【請求項７】
前記リスト内の前記第１のコンテンツの前記個別のセグメントに関連する付加的コンテンツへのリンクを記憶することをさらに含む、請求項１に記載の方法。
【請求項８】
前記選択された第１のセグメントに関連するアクションは、前記第１のセグメントを録画すること、前記選択されたセグメントを鑑賞リストに追加すること、ソーシャルネットワーク上で前記第１のセグメントを共有すること、前記選択された第１のセグメントと関連付けられるクリップを生成すること、前記第１の進行点において前記第１のコンテンツを再開すること、および前記第１のセグメントの開始時間から開始する前記第１のコンテンツにアクセスすることのうちの少なくとも１つを含む、請求項１に記載の方法。
【請求項９】
制御回路を使用して、前記第２のコンテンツと関連付けられる画像を識別することと、
前記第２のコンテンツが完結したときに、
前記第２のコンテンツと関連付けられる前記画像を前記ユーザに提示することと、
前記画像と関連付けられるテキスト解説を提示することと、
前記制御回路を用いて、前記画像および前記画像と関連付けられる前記テキスト解説を投稿するオプションの前記ユーザによる選択を受信することと、
前記選択を受信することに応答して、前記画像および前記テキスト解説を含む通信を前記制御回路からソーシャルネットワークに伝送することと
をさらに含み、
前記画像は、
前記第２のコンテンツと関連付けられる画像に関して、画像データベースを検索することと、
制御回路を用いて、前記個別の画像のそれぞれについての情報を分析することと、
前記個別の画像のそれぞれについての前記情報に基づいて、前記個別の画像の人気を判定することと、
最高の人気を有する前記個別の画像のうちの画像を選択することと
によって識別される、請求項１に記載の方法。
【請求項１０】
以前にアクセスされたコンテンツのセグメントを識別するためのシステムであって、前記システムは、
ユーザ入力を受信するように構成される、入出力（Ｉ／Ｏ）インターフェース回路と、
制御回路と
を備え、
前記制御回路は、
制御回路を用いて、ユーザ機器を用いて第１のコンテンツにアクセスすることと、
前記第１のコンテンツの代わりに第２のコンテンツにアクセスするように前記ユーザ機器に命令することと、前記第２のコンテンツは、前記第１のコンテンツ内の第１の進行点においてアクセスされる、ことと、
前記第２のコンテンツがアクセスされている間に、前記第１の進行点に続く個別のタイムスタンプと関連付けられる複数のイベントに関して、前記第１のコンテンツと関連付けられるメタデータを監視することと、
前記第１のコンテンツ内の前記複数のイベントのうちのイベントを検出することに応答して、前記第１の進行点に続く前記第１のコンテンツのセグメントのリスト内に前記イベントを識別する情報を記憶することと、
制御回路を用いて、前記ユーザ機器上に表示するために、前記第２のコンテンツおよび前記第１の進行点に続く前記第１のコンテンツのセグメントのリストの同時表示を生成することと、
前記制御回路において、前記第１のコンテンツのリスト内の前記セグメントのうちの第１のもののユーザ選択を受信することと、
前記第１のコンテンツ内の前記第１のイベントの開始時間および終了時間を表す、前記第１のセグメントのタイムスタンプを読み出すことと、
前記読み出されたタイムスタンプに基づいて、前記第１のコンテンツの選択された第１のセグメントに関連するアクションを実施することと
を行うように構成される、システム。
【手続補正２】
【補正対象書類名】明細書
【補正対象項目名】００２４
【補正方法】変更
【補正の内容】
【００２４】
上記に説明されるシステム、方法、装置、および／または側面は、本開示に説明される他のシステム、方法、装置、ならびに／もしくは側面に適用される、またはそれに従って使用され得ることに留意されたい。
本願明細書は、例えば、以下の項目も提供する。
（項目１）
以前にアクセスされたコンテンツのセグメントを識別するための方法であって、前記方法は、
ユーザ機器を用いて第１のコンテンツにアクセスすることと、
前記第１のコンテンツ内の第１の進行点において、前記第１のコンテンツの代わりに第２のコンテンツにアクセスするように前記ユーザ機器に命令することと、
前記第２のコンテンツおよび前記第１の進行点に続く前記第１のコンテンツのセグメントを識別する情報の同時表示を生成することと、
前記第１のコンテンツのセグメントのうちの１つのユーザ選択を受信することと、
前記第１のコンテンツの前記選択されたセグメントに関連するアクションを実施することと
を含む、方法。
（項目２）
以前にアクセスされたコンテンツのセグメントを識別するための方法であって、前記方法は、
制御回路を用いて、ユーザ機器を用いて第１のコンテンツにアクセスすることと、
前記第１のコンテンツの代わりに第２のコンテンツにアクセスするように前記ユーザ機器に命令することであって、前記第２のコンテンツは、前記第１のコンテンツ内の第１の進行点においてアクセスされる、ことと、
前記第２のコンテンツがアクセスされている間に、前記第１の進行点に続く個別のタイムスタンプと関連付けられる複数のイベントに関して、前記第１のコンテンツと関連付けられるメタデータを監視することと、
前記第１のコンテンツ内の前記複数のイベントのうちのイベントを検出することに応答して、前記第１の進行点に続く前記第１のコンテンツのセグメントのリスト内に前記イベントを識別する情報を記憶することと、
制御回路を用いて、前記ユーザ機器上に表示するために、前記第２のコンテンツおよび前記第１の進行点に続く前記第１のコンテンツの前記セグメントのリストの同時表示を生成することと、
前記制御回路において、前記第１のコンテンツのリスト内の前記セグメントのうちの第１のもののユーザ選択を受信することと、
前記第１のコンテンツ内の前記第１のイベントの開始時間および終了時間を表す、前記第１のセグメントのタイムスタンプを読み出すことと、
前記読み出されたタイムスタンプに基づいて、前記第１のコンテンツの前記選択された第１のセグメントに関連するアクションを実施することと
を含む、方法。
（項目３）
前記第１のコンテンツのためのフィードバックを集約し、前記第１のコンテンツの興味深いセグメントを識別することと、
前記同時表示内の前記第１のコンテンツの前記識別された興味深いセグメントをハイライトすることと、
前記表示内に、前記第１のコンテンツの前記ハイライトされる識別された興味深いセグメントに関して、付加的相互作用オプションを提示することと
をさらに含む、項目２に記載の方法。
（項目４）
前記セグメントのリスト内の各セグメントをユーザプロファイルと比較することと、
所与のセグメントが前記ユーザプロファイルに合致することを判定することに応答して、前記リスト内の前記第１のコンテンツの所与のセグメントを視覚的に区別することと
をさらに含む、項目２に記載の方法。
（項目５）
制御回路を用いて、前記個別のイベントのためのメタデータに基づいて、前記個別のイベントのそれぞれのタイプを判定することと、
前記制御回路を用いて、前記イベントタイプをユーザプロファイルと比較することと、
前記リスト内に含むために、前記ユーザプロファイルに合致する個別のイベントタイプを有するイベントを選択することと
をさらに含む、項目２に記載の方法。
（項目６）
前記第２のコンテンツがアクセスされている間に、前記第１の進行点に続く個別のタイムスタンプと関連付けられる複数のイベントに関して、前記第１のコンテンツと関連付けられるメタデータを監視することをさらに含む、項目２に記載の方法。
（項目７）
前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成することをさらに含む、項目２に記載の方法。
（項目８）
前記リスト内の前記第１のコンテンツの前記個別のセグメントに関連する付加的コンテンツへのリンクを記憶することをさらに含む、項目２に記載の方法。
（項目９）
前記選択された第１のセグメントに関連するアクションは、前記第１のセグメントを録画すること、前記選択されたセグメントを鑑賞リストに追加すること、ソーシャルネットワーク上で前記第１のセグメントを共有すること、前記選択された第１のセグメントと関連付けられるクリップを生成すること、前記第１の進行点において前記第１のコンテンツを再開すること、および前記第１のセグメントの開始時間から開始する前記第１のコンテンツにアクセスすることのうちの少なくとも１つを含む、項目２に記載の方法。
（項目１０）
制御回路を使用して、前記第２のコンテンツと関連付けられる画像を識別することと、
前記第２のコンテンツが完結したときに、
前記第２のコンテンツと関連付けられる前記画像を前記ユーザに提示することと、
前記画像と関連付けられるテキスト解説を提示することと、
前記制御回路を用いて、前記画像および前記画像と関連付けられる前記テキスト解説を投稿するオプションの前記ユーザによる選択を受信することと、
前記選択を受信することに応答して、前記画像および前記テキスト解説を含む通信を前記制御回路からソーシャルネットワークに伝送することと
をさらに含む、項目２に記載の方法。
（項目１１）
前記画像は、
前記第２のコンテンツと関連付けられる画像に関して、画像データベースを検索することと、
制御回路を用いて、前記個別の画像のそれぞれについての情報を分析することと、
前記個別の画像のそれぞれについての前記情報に基づいて、前記個別の画像の人気を判定することと、
最高の人気を有する前記個別の画像のうちの画像を選択することと
によって識別される、項目１０に記載の方法。
（項目１２）
以前にアクセスされたコンテンツのセグメントを識別するためのシステムであって、前記システムは、
ユーザ入力を受信するように構成される、入出力（Ｉ／Ｏ）インターフェース回路と、
制御回路と
を備え、
前記制御回路は、
制御回路を用いて、ユーザ機器を用いて第１のコンテンツにアクセスすることと、
前記第１のコンテンツの代わりに第２のコンテンツにアクセスするように前記ユーザ機器に命令することと、前記第２のコンテンツは、前記第１のコンテンツ内の第１の進行点においてアクセスされる、ことと、
前記第２のコンテンツがアクセスされている間に、前記第１の進行点に続く個別のタイムスタンプと関連付けられる複数のイベントに関して、前記第１のコンテンツと関連付けられるメタデータを監視することと、
前記第１のコンテンツ内の前記複数のイベントのうちのイベントを検出することに応答して、前記第１の進行点に続く前記第１のコンテンツのセグメントのリスト内に前記イベントを識別する情報を記憶することと、
制御回路を用いて、前記ユーザ機器上に表示するために、前記第２のコンテンツおよび前記第１の進行点に続く前記第１のコンテンツのセグメントのリストの同時表示を生成することと、
前記制御回路において、前記第１のコンテンツのリスト内の前記セグメントのうちの第１のもののユーザ選択を受信することと、
前記第１のコンテンツ内の前記第１のイベントの開始時間および終了時間を表す、前記第１のセグメントのタイムスタンプを読み出すことと、
前記読み出されたタイムスタンプに基づいて、前記第１のコンテンツの選択された第１のセグメントに関連するアクションを実施することと
を行うように構成される、システム。
（項目１３）
前記制御回路はさらに、
前記第１のコンテンツのためのフィードバックを集約し、前記第１のコンテンツの興味深いセグメントを識別することと、
前記同時表示内の前記第１のコンテンツの識別された興味深いセグメントをハイライトすることと、
前記表示内に、前記第１のコンテンツのハイライトされる識別された興味深いセグメントに関して、付加的相互作用オプションを提示することと
を行うように構成される、項目１２に記載のシステム。
（項目１４）
前記制御回路はさらに、
前記セグメントのリスト内の各セグメントをユーザプロファイルと比較することと、
所与のセグメントが前記ユーザプロファイルに合致することを判定することに応答して、前記リスト内の前記第１のコンテンツの所与のセグメントを視覚的に区別することと
を行うように構成される、項目１２に記載のシステム。
（項目１５）
前記制御回路はさらに、
制御回路を用いて、前記個別のイベントのためのメタデータに基づいて、前記個別のイベントのそれぞれのタイプを判定することと、
前記制御回路を用いて、前記イベントタイプをユーザプロファイルと比較することと、
前記リスト内に含むために、前記ユーザプロファイルに合致する個別のイベントタイプを有するイベントを選択することと
を行うように構成される、項目１２に記載のシステム。
（項目１６）
前記制御回路はさらに、前記第２のコンテンツがアクセスされている間に、前記第１の進行点に続く個別のタイムスタンプと関連付けられる複数のイベントに関して、前記第１のコンテンツと関連付けられるメタデータを監視するように構成される、項目１２に記載のシステム。
（項目１７）
前記制御回路はさらに、前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成するように構成される、項目１２に記載のシステム。
（項目１８）
前記制御回路はさらに、前記リスト内の前記第１のコンテンツの個別のセグメントに関連する付加的コンテンツへのリンクを記憶するように構成される、項目１２に記載のシステム。
（項目１９）
前記選択された第１のセグメントに関連するアクションは、前記第１のセグメントを録画すること、前記選択されたセグメントを鑑賞リストに追加すること、ソーシャルネットワーク上で前記第１のセグメントを共有すること、前記選択された第１のセグメントと関連付けられるクリップを生成すること、前記第１の進行点において前記第１のコンテンツを再開すること、および前記第１のセグメントの開始時間から開始する前記第１のコンテンツにアクセスすることのうちの少なくとも１つを含む、項目１２に記載のシステム。
（項目２０）
前記制御回路はさらに、
制御回路を使用して、前記第２のコンテンツと関連付けられる画像を識別することと、
前記第２のコンテンツが完結したときに、
前記第２のコンテンツと関連付けられる前記画像を前記ユーザに提示することと、
前記画像と関連付けられるテキスト解説を提示することと、
前記制御回路を用いて、前記画像および前記画像と関連付けられる前記テキスト解説を投稿するオプションの前記ユーザによる選択を受信することと、
前記選択を受信することに応答して、前記画像および前記テキスト解説を含む通信を前記制御回路からソーシャルネットワークに伝送することと
を行うように構成される、項目１２に記載のシステム。
（項目２１）
前記画像を識別するように構成される前記制御回路はさらに、
前記第２のコンテンツと関連付けられる画像に関して、画像データベースを検索することと、
制御回路を用いて、前記個別の画像のそれぞれについての情報を分析することと、
前記個別の画像のそれぞれについての前記情報に基づいて、前記個別の画像の人気を判定することと、
最高の人気を有する前記個別の画像のうちの画像を選択することと
を行うように構成される、項目２０に記載のシステム。
（項目２２）
以前にアクセスされたコンテンツのセグメントを識別するためのシステムであって、前記システムは、
制御回路を用いて、ユーザ機器を用いて第１のコンテンツにアクセスするための手段と、
前記第１のコンテンツの代わりに第２のコンテンツにアクセスするように前記ユーザ機器に命令するための手段であって、前記第２のコンテンツは、前記第１のコンテンツ内の第１の進行点においてアクセスされる、手段と、
前記第２のコンテンツがアクセスされている間に、前記第１の進行点に続く個別のタイムスタンプと関連付けられる複数のイベントに関して、前記第１のコンテンツと関連付けられるメタデータを監視するための手段と、
前記第１のコンテンツ内の前記複数のイベントのうちのイベントを検出することに応答して、前記第１の進行点に続く前記第１のコンテンツのセグメントのリスト内に前記イベントを識別する情報を記憶するための手段と、
制御回路を用いて、前記ユーザ機器上に表示するために、前記第２のコンテンツおよび前記第１の進行点に続く前記第１のコンテンツのセグメントのリストの同時表示を生成するための手段と、
前記制御回路において、前記第１のコンテンツのリスト内の前記セグメントのうちの第１のもののユーザ選択を受信するための手段と、
前記第１のコンテンツ内の前記第１のイベントの開始時間および終了時間を表す、前記第１のセグメントのタイムスタンプを読み出すための手段と、
前記読み出されたタイムスタンプに基づいて、前記第１のコンテンツの選択された第１のセグメントに関連するアクションを実施するための手段と
を備える、システム。
（項目２３）
前記第１のコンテンツのためのフィードバックを集約し、前記第１のコンテンツの興味深いセグメントを識別するための手段と、
前記同時表示内の前記第１のコンテンツの識別された興味深いセグメントをハイライトするための手段と、
前記表示内に、前記第１のコンテンツのハイライトされる識別された興味深いセグメントに関して、付加的相互作用オプションを提示するための手段と
をさらに備える、項目２２に記載のシステム。
（項目２４）
前記セグメントのリスト内の各セグメントをユーザプロファイルと比較するための手段と、
所与のセグメントが前記ユーザプロファイルに合致することを判定することに応答して、前記リスト内の前記第１のコンテンツの所与のセグメントを視覚的に区別するための手段と
をさらに備える、項目２２に記載のシステム。
（項目２５）
制御回路を用いて、前記個別のイベントのためのメタデータに基づいて、前記個別のイベントのそれぞれのタイプを判定するための手段と、
前記制御回路を用いて、前記イベントタイプをユーザプロファイルと比較するための手段と、
前記リスト内に含むために、前記ユーザプロファイルに合致する個別のイベントタイプを有するイベントを選択するための手段と
をさらに備える、項目２２に記載のシステム。
（項目２６）
前記第２のコンテンツがアクセスされている間に、前記第１の進行点に続く個別のタイムスタンプと関連付けられる複数のイベントに関して、前記第１のコンテンツと関連付けられるメタデータを監視するための手段をさらに備える、項目２２に記載のシステム。
（項目２７）
前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成するための手段をさらに備える、項目２２に記載のシステム。
（項目２８）
前記リスト内の前記第１のコンテンツの個別のセグメントに関連する付加的コンテンツへのリンクを記憶するための手段をさらに備える、項目２２に記載のシステム。
（項目２９）
前記選択された第１のセグメントに関連するアクションは、前記第１のセグメントを録画するための手段、前記選択されたセグメントを鑑賞リストに追加するための手段、ソーシャルネットワーク上で前記第１のセグメントを共有するための手段、前記選択された第１のセグメントと関連付けられるクリップを生成するための手段、前記第１の進行点において前記第１のコンテンツを再開するための手段、および前記第１のセグメントの開始時間から開始する前記第１のコンテンツにアクセスするための手段のうちの少なくとも１つを備える、項目２２に記載のシステム。
（項目３０）
制御回路を使用して、前記第２のコンテンツと関連付けられる画像を識別するための手段と、
前記第２のコンテンツが完結したときに、
前記第２のコンテンツと関連付けられる前記画像を前記ユーザに提示するための手段と、
前記画像と関連付けられるテキスト解説を提示するための手段と、
前記制御回路を用いて、前記画像および前記画像と関連付けられる前記テキスト解説を投稿するオプションの前記ユーザによる選択を受信するための手段と、
前記選択を受信することに応答して、前記画像および前記テキスト解説を含む通信を前記制御回路からソーシャルネットワークに伝送するための手段と
をさらに備える、項目２２に記載のシステム。
（項目３１）
前記画像は、
前記第２のコンテンツと関連付けられる画像に関して、画像データベースを検索するための手段と、
制御回路を用いて、前記個別の画像のそれぞれについての情報を分析するための手段と、
前記個別の画像のそれぞれについての前記情報に基づいて、前記個別の画像の人気を判定するための手段と、
最高の人気を有する前記個別の画像のうちの画像を選択するための手段と
によって識別される、項目３０に記載のシステム。
（項目３２）
以前にアクセスされたコンテンツのセグメントを識別するためのその上にエンコードされた非一過性のコンピュータ可読命令を有する、非一過性のコンピュータ可読媒体であって、非一過性のコンピュータ可読媒体は、
制御回路を用いて、ユーザ機器を用いて第１のコンテンツにアクセスするための命令と、
前記第１のコンテンツの代わりに第２のコンテンツにアクセスするように前記ユーザ機器に命令するための命令であって、前記第２のコンテンツは、前記第１のコンテンツ内の第１の進行点においてアクセスされる、命令と、
前記第２のコンテンツがアクセスされている間に、前記第１の進行点に続く個別のタイムスタンプと関連付けられる複数のイベントに関して、前記第１のコンテンツと関連付けられるメタデータを監視するための命令と、
前記第１のコンテンツ内の前記複数のイベントのうちのイベントを検出することに応答して、前記第１の進行点に続く前記第１のコンテンツのセグメントのリスト内に前記イベントを識別する情報を記憶するための命令と、
制御回路を用いて、前記ユーザ機器上に表示するために、前記第２のコンテンツおよび前記第１の進行点に続く前記第１のコンテンツのセグメントのリストの同時表示を生成するための命令と、
前記制御回路において、前記第１のコンテンツのリスト内の前記セグメントのうちの第１のもののユーザ選択を受信するための命令と、
前記第１のコンテンツ内の前記第１のイベントの開始時間および終了時間を表す、前記第１のセグメントのタイムスタンプを読み出すための命令と、
前記読み出されたタイムスタンプに基づいて、前記第１のコンテンツの選択された第１のセグメントに関連するアクションを実施するための命令と
を備える、非一過性のコンピュータ可読媒体。
（項目３３）
前記第１のコンテンツのためのフィードバックを集約し、前記第１のコンテンツの興味深いセグメントを識別するための命令と、
前記同時表示内の前記第１のコンテンツの識別された興味深いセグメントをハイライトするための命令と、
前記表示内に、前記第１のコンテンツのハイライトされる識別された興味深いセグメントに関して、付加的相互作用オプションを提示するための命令と
をさらに備える、項目３２に記載の非一過性のコンピュータ可読媒体。
（項目３４）
前記セグメントのリスト内の各セグメントをユーザプロファイルと比較するための命令と、
所与のセグメントが前記ユーザプロファイルに合致することを判定することに応答して、前記リスト内の前記第１のコンテンツの所与のセグメントを視覚的に区別するための命令と
をさらに備える、項目３２に記載の非一過性のコンピュータ可読媒体。
（項目３５）
制御回路を用いて、前記個別のイベントのためのメタデータに基づいて、前記個別のイベントのそれぞれのタイプを判定するための命令と、
前記制御回路を用いて、前記イベントタイプをユーザプロファイルと比較するための命令と、
前記リスト内に含むために、前記ユーザプロファイルに合致する個別のイベントタイプを有するイベントを選択するための命令と
をさらに備える、項目３２に記載の非一過性のコンピュータ可読媒体。
（項目３６）
前記第２のコンテンツがアクセスされている間に、前記第１の進行点に続く個別のタイムスタンプと関連付けられる複数のイベントに関して、前記第１のコンテンツと関連付けられるメタデータを監視するための命令をさらに備える、項目３２に記載の非一過性のコンピュータ可読媒体。
（項目３７）
前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成するための命令をさらに備える、項目３２に記載の非一過性のコンピュータ可読媒体。
（項目３８）
前記リスト内の前記第１のコンテンツの個別のセグメントに関連する付加的コンテンツへのリンクを記憶するための命令をさらに備える、項目３２に記載の非一過性のコンピュータ可読媒体。
（項目３９）
前記選択された第１のセグメントに関連するアクションは、前記第１のセグメントを録画するための命令、前記選択されたセグメントを鑑賞リストに追加するための命令、ソーシャルネットワーク上で前記第１のセグメントを共有するための命令、前記選択された第１のセグメントと関連付けられるクリップを生成するための命令、前記第１の進行点において前記第１のコンテンツを再開するための命令、および前記第１のセグメントの開始時間から開始する前記第１のコンテンツにアクセスするための命令のうちの少なくとも１つを備える、項目３２に記載の非一過性のコンピュータ可読媒体。
（項目４０）
制御回路を使用して、前記第２のコンテンツと関連付けられる画像を識別するための命令と、
前記第２のコンテンツが完結したときに、
前記第２のコンテンツと関連付けられる前記画像を前記ユーザに提示するための命令と、
前記画像と関連付けられるテキスト解説を提示するための命令と、
前記制御回路を用いて、前記画像および前記画像と関連付けられる前記テキスト解説を投稿するオプションの前記ユーザによる選択を受信するための命令と、
前記選択を受信することに応答して、前記画像および前記テキスト解説を含む通信を前記制御回路からソーシャルネットワークに伝送するための命令と
をさらに備える、項目３２に記載の非一過性のコンピュータ可読媒体。
（項目４１）
前記画像は、
前記第２のコンテンツと関連付けられる画像に関して、画像データベースを検索するための命令と、
制御回路を用いて、前記個別の画像のそれぞれについての情報を分析するための命令と、
前記個別の画像のそれぞれについての前記情報に基づいて、前記個別の画像の人気を判定するための命令と、
最高の人気を有する前記個別の画像のうちの画像を選択するための命令と
によって、識別される、項目４０に記載の非一過性のコンピュータ可読媒体。
（項目４２）
以前にアクセスされたコンテンツのセグメントを識別するための方法であって、前記方法は、
制御回路を用いて、ユーザ機器を用いて第１のコンテンツにアクセスすることと、
前記第１のコンテンツの代わりに第２のコンテンツにアクセスするように前記ユーザ機器に命令することであって、前記第２のコンテンツは、前記第１のコンテンツ内の第１の進行点においてアクセスされる、ことと、
前記第２のコンテンツがアクセスされている間に、前記第１の進行点に続く個別のタイムスタンプと関連付けられる複数のイベントに関して、前記第１のコンテンツと関連付けられるメタデータを監視することと、
前記第１のコンテンツ内の前記複数のイベントのうちのイベントを検出することに応答して、前記第１の進行点に続く前記第１のコンテンツのセグメントのリスト内に前記イベントを識別する情報を記憶することと、
制御回路を用いて、前記ユーザ機器上に表示するために、前記第２のコンテンツおよび前記第１の進行点に続く前記第１のコンテンツのセグメントのリストの同時表示を生成することと、
前記制御回路において、前記第１のコンテンツのリスト内の前記セグメントのうちの第１のもののユーザ選択を受信することと、
前記第１のコンテンツ内の前記第１のイベントの開始時間および終了時間を表す、前記第１のセグメントのタイムスタンプを読み出すことと、
前記読み出されたタイムスタンプに基づいて、前記第１のコンテンツの選択された第１のセグメントに関連するアクションを実施することと
を含む、方法。
（項目４３）
前記第１のコンテンツのためのフィードバックを集約し、前記第１のコンテンツの興味深いセグメントを識別することと、
前記同時表示内の前記第１のコンテンツの識別された興味深いセグメントをハイライトすることと、
前記表示内に、前記第１のコンテンツのハイライトされる識別された興味深いセグメントに関して、付加的相互作用オプションを提示することと
をさらに含む、項目４２に記載の方法。
（項目４４）
前記セグメントのリスト内の各セグメントをユーザプロファイルと比較することと、
所与のセグメントが前記ユーザプロファイルに合致することを判定することに応答して、前記リスト内の前記第１のコンテンツの所与のセグメントを視覚的に区別することと
をさらに含む、項目４２−４３のいずれか１項に記載の方法。
（項目４５）
制御回路を用いて、前記個別のイベントのためのメタデータに基づいて、前記個別のイベントのそれぞれのタイプを判定することと、
前記制御回路を用いて、前記イベントタイプをユーザプロファイルと比較することと、
前記リスト内に含むために、前記ユーザプロファイルに合致する個別のイベントタイプを有するイベントを選択することと
をさらに含む、項目４２−４４のいずれか１項に記載の方法。
（項目４６）
前記第２のコンテンツがアクセスされている間に、前記第１の進行点に続く個別のタイムスタンプと関連付けられる複数のイベントに関して、前記第１のコンテンツと関連付けられるメタデータを監視することをさらに含む、項目４２−４５のいずれか１項に記載の方法。
（項目４７）
前記第１のコンテンツの第１のセグメントの選択に応答して、前記第２のコンテンツ内に表示するために、前記選択された第１のセグメントのためのタイムスタンプに対応する時間における前記第１のコンテンツのピクチャインピクチャ表示、前記選択されたセグメントのための前記タイムスタンプに続く、前記第１のコンテンツのための前記セグメントのリストの表示、および前記第１のセグメントの選択と関連付けられるタイムスタンプに続く、前記第２のコンテンツのためのセグメントの第２のリストの表示を生成することをさらに含む、項目４２−４６のいずれか１項に記載の方法。
（項目４８）
前記リスト内の前記第１のコンテンツの個別のセグメントに関連する付加的コンテンツへのリンクを記憶することをさらに含む、項目４２−４７のいずれか１項に記載の方法。
（項目４９）
前記選択された第１のセグメントに関連するアクションは、前記第１のセグメントを録画すること、前記選択されたセグメントを鑑賞リストに追加すること、ソーシャルネットワーク上で前記第１のセグメントを共有すること、前記選択された第１のセグメントと関連付けられるクリップを生成すること、前記第１の進行点において前記第１のコンテンツを再開すること、および前記第１のセグメントの開始時間から開始する前記第１のコンテンツにアクセスすることのうちの少なくとも１つを含む、項目４２−４８のいずれか１項に記載の方法。
（項目５０）
制御回路を使用して、前記第２のコンテンツと関連付けられる画像を識別することと、
前記第２のコンテンツが完結したときに、
前記第２のコンテンツと関連付けられる前記画像を前記ユーザに提示することと、
前記画像と関連付けられるテキスト解説を提示することと、
前記制御回路を用いて、前記画像および前記画像と関連付けられる前記テキスト解説を投稿するオプションの前記ユーザによる選択を受信することと、
前記選択を受信することに応答して、前記画像および前記テキスト解説を含む通信を前記制御回路からソーシャルネットワークに伝送することと
をさらに含む、項目４２−４９のいずれか１項に記載の方法。
（項目５１）
前記画像は、
前記第２のコンテンツと関連付けられる画像に関して、画像データベースを検索することと、
制御回路を用いて、前記個別の画像のそれぞれについての情報を分析することと、
前記個別の画像のそれぞれについての前記情報に基づいて、前記個別の画像の人気を判定することと、
最高の人気を有する前記個別の画像のうちの画像を選択することと
によって識別される、項目４２−５０のいずれか１項に記載の方法。